(57)【特許請求の範囲】
【請求項１】
縦方向で傾斜して配設されるカウルトップガーニッシュを備えたキャブオーバ型又は箱型の自動車であって、この自動車のウインドシールドガラスの前面の下端部位にワイパアームを配設するとともに前記ウインドシールドガラスの前面又は下面の下部に前記カウルトップガーニッシュを配設し、該カウルトップガーニッシュの下方にカウルトップパネルを配設し、該カウルトップパネルの上側に配設されるとともにノズル本体部とホースからのウオッシャー液をノズル部に供給するノズル管とホースが接続されるホース連結部とを備えたウオッシャーノズルの取付構造において、
前記カウルトップガーニッシュの上面に上側に突出する隆起部を設け、該隆起部を前記ウインドシールドガラスの前面に配設される前記ワイパアームの前方に配設し、前記隆起部の内部に前記ウオッシャーノズルのノズル管と前記ホース連結部とを収容し、前記ホース連結部を前記カウルトップガーニッシュの上面より上側に配設し、前記ホース連結部下流側のホースを前記カウルトップガーニッシュの下面より下側に配設し、前記隆起部の上面に前記ノズル本体部を固定する座面を形成し、前記ノズル本体部のノズル部を前記ワイパアームより突出させるとともに前記ノズル部の液路を前記ノズル管に対して下向きに傾斜させたことを特徴とするウオッシャーノズルの取付構造。
【請求項２】
前記連結部をカウルトップガーニッシュと略同じ高さに配設したことを特徴とする請求項１に記載のウオッシャーノズルの取付構造。
【発明の詳細な説明】
【０００１】
【発明の属する技術分野】
本発明は、車体パネルのウオッシャーノズルの取付部をパネル面より持ち上げるようにしたウオッシャーノズル取付構造に関するものである。
【０００２】
【従来の技術】
従来、自動車には、例えば、ウインドシールドガラスの汚れ等を落とす、洗浄装置としてのウオッシャー（図５に符号１で示す）が設けられている。このウオッシャー１のウオッシャーノズル２は、通常、ウインドシールドガラスの下側を形成するカウルトップガーニッシュ３に装着されている。
【０００３】
このカウルトップガーニッシュ３の車体の内側にはウインドシールドガラスの下側を保持しているカウルトップパネル４が、カウルトップガーニッシュ３と略平行に配設されている。このようにカウルトップガーニッシュ３の周辺にカウルトップパネル４が配設されていると、ウオッシャーノズル２の取付位置の下部に充分な空間が取れない場合がある。
【０００４】
このような場合、ウオッシャーノズル２のノズル管５の端部に形成したホース連結部６の方向をノズル管５に対して９０°折曲させて（図５の符号Ｄ参照）、ウオッシャーノズル２のホース連結部６及びこのホース連結部６に接続した洗浄ホース７と、カウルトップパネル４との干渉を回避させるようにしていた。
【０００５】
したがって、右ハンドル車や左ハンドル車で洗浄ホース７の配索が反対になるような場合は、図６に示すように、ノズル管５に右向きのホース連結部６を形成したウオッシャーノズル２及び、図７に示すように、ノズル管５に左向きのホース連結部６を形成したウオッシャーノズル２を各々設けて、これを用途に応じて使用するようにしていた。
【０００６】
また、図８に示すように、ウオッシャーノズル２のウオッシャー液８の吹出方向にワイパアーム９等の障害物があって、ウオッシャー液８がウインドシールドガラス１０のガラス面に正しく到達しないような場合には、ウオッシャーノズル２のノズル本体２Ａを従来より高くして、障害物を避けるようにしていた。
【０００７】
なお、ウインドウオッシャーのノズル装置として、実公昭５６−３６６７６号公報に開示されているものがある。この公報に開示のものは、カウルトップグリルの上面に設けた凹陥部内にカウルトップグリルと一体のノズル保持部を配設し、このノズル保持部に細孔を有するノズル本体を回動可能に、かつ、前記カウルトップグリルの上面よりも低く位置させて設けると共に、前記ノズル保持部のホース取付用の管状部を下方向に直線状に延設させたものである（上記公報の第１頁第２欄第２２行〜第３２行の記載に基づく）。
【０００８】
【発明が解決しようとする課題】
以上説明した従来技術において、カウルトップガーニッシュのウオッシャーノズルの取付位置の下部にカウルトップパネルが配置されていて、ウオッシャーノズルの下部にホースの配索のための充分な隙間が取れない場合は、ウオッシャーノズルのホース連結部の方向を９０°折曲させて、ウオッシャーノズルのホース連結部及びホース連結部に接続した洗浄ホースと、カウルトップパネルとの干渉を回避させていたが、右ハンドル車及び左ハンドル車で洗浄ホースの配索が反対になるような場合、左右対称のホース連結部を各々備えたウオッシャーノズルを使用する必要がある。このため、部品点数が増加すると共に、作業効率が低下する問題があった。
【０００９】
また、ウオッシャーノズルのウオッシャー液の吹出方向にワイパアーム等の障害物がある場合、障害物を避けるため、ウオッシャーノズルのノズル本体を長くしていたので、ウオッシャーノズルのノズル本体が大型化する問題があった。
【００１０】
なお、実公昭５６−３６６７６号公報に開示されているウインドウオッシャーのノズル装置は、ノズル保持部のホース取付用の管状部を下方向に直線状に延設させているが、カウルトップグリルの下側にカウルトップパネルが配置されているので、カウルトップパネルに孔を設ける等の細工をしなければならない煩雑さがある。
【００１１】
本発明は、上記従来の問題を解決するためになされたもので、ウインドシールドガラスの前面を形成するパネルにウオッシャーノズル取付用の隆起部を形成して、右ハンドル車及び左ハンドル車のウオッシャーの取り付けの際、部品を共通化して作業効率を良くすると共に、ウオッシャーノズルの本体の形状を小型化したウオッシャーノズル取付構造を提供することを目的とする。
【００１２】
【課題を解決するための手段】
請求項１記載の発明は、縦方向で傾斜して配設されるカウルトップガーニッシュを備えたキャブオーバ型又は箱型の自動車であって、この自動車のウインドシールドガラスの前面の下端部位にワイパアームを配設するとともに前記ウインドシールドガラスの前面又は下面の下部に前記カウルトップガーニッシュを配設し、該カウルトップガーニッシュの下方にカウルトップパネルを配設し、該カウルトップパネルの上側に配設されるとともにノズル本体部とホースからのウオッシャー液をノズル部に供給するノズル管とホースが接続されるホース連結部とを備えたウオッシャーノズルの取付構造において、前記カウルトップガーニッシュの上面に上側に突出する隆起部を設け、該隆起部を前記ウインドシールドガラスの前面に配設される前記ワイパアームの前方に配設し、前記隆起部の内部に前記ウオッシャーノズルのノズル管と前記ホース連結部とを収容し、前記ホース連結部を前記カウルトップガーニッシュの上面より上側に配設し、前記ホース連結部下流側のホースを前記カウルトップガーニッシュの下面より下側に配設し、前記隆起部の上面に前記ノズル本体部を固定する座面を形成し、前記ノズル本体部のノズル部を前記ワイパアームより突出させるとともに前記ノズル部の液路を前記ノズル管に対して下向きに傾斜させたことを特徴とするものである。
【００１３】
このように自動車のウインドガラスの前面または後面の下部に配設した、ウインドガラスの下面を形成するパネルの上面部の一部に通常面より若干、持ち上げた隆起部を形成させ、この隆起部の上面にウオッシャーノズル取付用の座面を形成させる。この隆起部によって、ウオッシャーノズルと、ウオッシャーノズルの下方の周辺部品（例えば、カウルトップパネル）との間の空間を大きくとるようにする。また、隆起部の内部にウオッシャーノズルのホース連結部等を収容して、ウオッシャーノズルのホース連結部及び洗浄ホースの下流端部と、カウルトップパネルとの干渉を回避させる。
また、前記ウインドガラスの下面を形成するパネルと、このパネルの下方に配設した第２のパネルとによって形成される空間に洗浄ホースを配設させ、この洗浄ホースによりウオッシャーノズルにウオッシャー液を供給する。
【００１４】
請求項２記載の発明は、請求項１に記載されたものにおいて、前記連結部をカウルトップガーニッシュと略同じ高さに配設したことを特徴とするものである。
【００１５】
このため、ウオッシャーノズルのノズル管の基端側のホース連結部の方向を、ノズル管１４から折曲させないで、真っ直ぐに延設させることができる。
【００１６】
【発明の実施の形態】
次に、本発明の実施の形態の一例を図１に基づき、図５乃至図８と同一の部材には同一の符号を付して説明する。図１はキャブオーバ型または箱型の自動車の前面のウインドガラス、すなわちウインドシールドガラス１０の下部の一部を拡大して示したものである。ウインドシールドガラス１０の下部にはウインドシールドガラス１０の下面に近接して連なるパネルであるカウルトップガーニッシュ１１が配設されている。
【００１７】
また、カウルトップガーニッシュ１１の内側で、かつ、カウルトップガーニッシュ１１の対向位置にはウインドシールドガラス１０の下面を保持している、第２のパネルであるカウルトップパネル４が配設されている。なお、キャブオーバ型または箱形の自動車は、ボンネット型の自動車とは異なり、カウルトップガーニッシュ１１やカウルトップパネル４が、略縦方向になるように配設されている（図１参照）。
【００１８】
また、カウルトップガーニッシュ１１の上面部１１ａの一部にはウオッシャーノズル１２を取り付けるための有底筒状の隆起部１３が形成されている。隆起部１３の中央には挿通孔１３ａが設けられている。この挿通孔１３ａを有する有底部がウオッシャーノズル１２を取り付けるための座面１３ｂになっている。したがって、座面１３ｂには、例えば、アルミニューム製のウオッシャーノズル１２のノズル本体１２Ａが載置されることになる。なお、隆起部１３の座面１３ｂの径は、隆起部１３に配置されるノズル本体１２Ａと略同じ大きさにしてある。
【００１９】
このように隆起部１３にノズル本体１２Ａを載置し、挿通孔１３ａにノズル本体１２Ａの下部のノズル管１４やホース連結部１５を挿通させれば、隆起部１３の内部にノズル管１４、ホース連結部１５（図２及び図３参照）、及び洗浄ホース７の下流端部７ａを収納することができる。
【００２０】
これによって、ウオッシャーノズル１２の取付部の下部に充分な空間を作り出すことができる。すなわち、カウルトップガーニッシュ１１とカウルトップパネル４との間に充分な空間を作ることができる。したがって、この空間にウオッシャーノズル１２にウオッシャー液８を供給する洗浄ホース７を配設することが可能になる。
【００２１】
また、このように空間ができると、ウオッシャーノズル１２のノズル管１４の基端側のホース連結部１５の方向を、ノズル管１４から折曲させないで、真っ直ぐに延設させることができる。すなわち、ホース連結部１５をノズル管１４に沿って直管状に形成させることができる。
【００２２】
また、図２及び図３に示すように、ウオッシャーノズル１２のノズル管１４の中央部分には１８０°間隔で二つの爪部１６が形成されており、この爪部１６を隆起部１３の有底部の内側に係合させて、ウオッシャーノズル１２を隆起部１３に保持、固定させる。なお、図１において、符号１７で示すものは、ウェザーストリップであり、図２及び図３において、符号１８で示すものはパッキングである。
【００２３】
また、図４に示すように、このウオッシャーノズル１２のノズル部１９の液路２０をウオッシャーノズル１２のノズル管１４に対して所定角度α（５°前後）傾けている。したがって、この液路２０を有するウオッシャーノズル１２を、例えば、キャブオーバ型の自動車のカウルトップガーニッシュ１１の隆起部１３に取り付ければ、ウオッシャ液８はウインドシールドガラス１０のガラス面に正確に到達することになる（図１参照）。
【００２４】
なお、隆起部１３を有底筒状に形成したものについて説明したが、このようにせず、隆起部１３を有底多角筒状に形成したものを採用してもよい。このようにすれば、多角筒状の隆起部１３によって、飾り部が強調される。
【００２５】
以上説明したように、ウインドシールドガラス１０の下部に設けたカウルトップガーニッシュ１１に隆起部１３を形成して、この隆起部１３の頂部の座面１３ｂにウオッシャーノズル１２のノズル本体１２Ａを載置するようにしたので、カウルトップガーニッシュ１１のウオッシャーノズル１２の取付位置の下部にカウルトップパネル４が配置されていてもカウルトップガーニッシュ１１の下部の空間を大きく取ることができる。
【００２６】
また、隆起部１３の内部にウオッシャーノズル１２のノズル管１４、ホース連結部１５及び洗浄ホース７の下流端部７ａを収容したので、ウオッシャーノズル１２のホース連結部１５を折曲させないで、ノズル管１４に沿って真っ直ぐに延設させても、ホース連結部１５及びホース連結部１５に接続した洗浄ホース７がカウルトップガーニッシュ１１の下部に配設したカウルトップパネル４に干渉することはない。
【００２７】
なお、本実施の形態においては、ウオッシャーノズル１２を取り付けるための隆起部１３をウインドシールドガラス１０の下部のカウルトップガーニッシュ１１の上面部に設けたが、車種によっては、自動車の前面の車体パネル、すなわち、アウターパネルやカウルトップパネル４に形成してもよい。さらにまた、隆起部１３を自動車の後面のウインドガラスに連なる車体パネル、例えば、アウターパネルに形成してもよい。
【００２８】
【発明の効果】
請求項１記載の発明は、自動車のウインドガラスの前面または後面の下部に該ウインドガラスの下面を形成するパネルを配設し、該パネルの上面部の一部にウオッシャーノズル取付用の座面を備えた隆起部を形成したので、この隆起部の座面にウオッシャーノズルを取り付ければ、隆起部の下側に充分な空間を形成することができる。したがって、右ハンドル車及び左ハンドル車で洗浄ホースの配索が反対になるような場合においても、左右反対向きのホース連結部を備えたウオッシャーノズルを使用する必要はない。
【００２９】
これによって、部品を共通化することができると共に、部品点数が減少して作業効率を向上させることができる。また、ウオッシャーノズルの本体部を長く伸ばす必要がないので、ウオッシャーノズル全体の小型化を図ることができる。さらにまた、隆起部の内部にウオッシャーノズルのホース連結部を収容したので、ホース連結部がパネルの下に長く伸びなくなり、ホース連結部及びホース連結部に接続した洗浄ホースと、カウルトップパネルとの干渉を確実に回避することができる。
また、ウインドガラスの下面を形成するパネルと、このパネルの下方に配設した第２のパネルとによって形成される空間にウオッシャーノズルにウオッシャー液を供給する洗浄ホースを配設したので、第２のパネルに孔を設ける等の細工をすることなく第２のパネル面に洗浄ホースを配索することができる。
【００３０】
請求項２記載の発明は、ウオッシャーノズルのノズル管の基端側のホース連結部の方向を、ノズル管１４から折曲させないで、真っ直ぐに延設させることができる。
【図面の簡単な説明】
【図１】  本発明の実施の形態の一例を模式的に示す断面図である。
【図２】  図１に示すウオッシャーノズルの断面図である。
【図３】  図１に示すウオッシャーノズルの正面図である。
【図４】  図２に示すノズル部の拡大断面図である。
【図５】  従来のウオッシャーノズルの取付状態を模式的に示す断面図である。
【図６】  従来のものを示し、ノズル連結部が一方側に向いたウオッシャーノズルの正面図である。
【図７】  従来のものを示し、ノズル連結部が他方側に向いたウオッシャーノズルの正面図である。
【図８】  従来のものを示し、ノズル本体を高くしたウオッシャーノズルの模式図である。
【符号の説明】
４    カウルトップパネル
７    洗浄ホース
８    ウオッシャー液
１０    ウインドシールドガラス
１１    カウルトップガーニッシュ
１２    ウオッシャーノズル
１３    隆起部
１３ｂ  座面
１４    ノズル管
１５    ホース連結部
【図１】
0003705324.tif 000002
【図２】
0003705324.tif 000003
【図３】
0003705324.tif 000004
【図４】
0003705324.tif 000005
【図５】
0003705324.tif 000006
【図６】
0003705324.tif 000007
【図７】
0003705324.tif 000008
【図８】
0003705324.tif 000009